(57)【要約】      （修正有）【課題】より簡単な構成で、本体から離間させることが可能な構成を実現し、携帯機器を制御する制御スイッチを提供する。【解決手段】制御スイッチ１０は、押しボタン１０ａを有し、利用者がこの押しボタン１０ａを押下すると導通状態になるスイッチ部１０ｃを備えている。制御スイッチ１０は、外部端子であるＵＳＢケーブルインターフェースのプラグ部１０ｂを備えている。そして、スイッチ部１０ｃは、ＵＳＢインターフェースのデータ線Ｄ＋と、グランドであるＧＮＤ端子との間に接続している。したがって、一般的なＵＳＢケーブル２０を用いて、制御スイッチを所定の携帯機器に接続することができ、種々の操作を行わせることが可能である。【選択図】図１
0003195206.tif 000002
【実用新案登録請求の範囲】
【請求項１】
電子機器を制御するためのスイッチにおいて、
少なくとも１本の電源線と、少なくとも１本のデータ線と、を有するインターフェースのソケット部と、
前記ソケット部の前記データ線の間に接続されたスイッチ部と、
を含むことを特徴とする制御スイッチ。
【請求項２】
電子機器を制御するためのスイッチにおいて、
少なくとも１本の電源線と、少なくとも１本のデータ線と、を有するインターフェースのプラグ部と、
前記プラグ部の前記データ線の間に接続されたスイッチ部と、
を含むことを特徴とする制御スイッチ。  
【請求項３】
請求項１又は２記載の制御スイッチにおいて、
前記インターフェースは、ＵＳＢインターフェースであり、
前記スイッチ部の一方端は、前記ＵＳＢインターフェースのＤ＋端子又はＤ−端子に接続され、前記スイッチ部の他方端は、前記ＵＳＢインターフェースのグランド線に接続されていることを特徴とする制御スイッチ。
【請求項４】
請求項１〜３のいずれか１項に記載の制御スイッチにおいて、
さらに、押しボタンを備え、
前記スイッチ部は、前記押しボタンが押下された場合に、導通状態となることを特徴とする制御スイッチ。
【請求項５】
請求項１〜４のいずれか１項に記載の制御スイッチと、
前記制御スイッチの前記電源線に電力を供給する電力供給手段と、
を備えたことを特徴とする電力供給手段付き制御スイッチ。
【考案の詳細な説明】
【技術分野】
【０００１】
本考案は、各種電子機器を制御する制御スイッチに関する。
【背景技術】
【０００２】
小型の携帯機器では、小型であるため、制御用のスイッチを設ける位置が限定されてしまう場合が多い。例えば、懐中電灯の携帯型照明器具等では、スイッチを設けることができる場所はごく限られている。そのため、１個の制御スイッチを用いて、１回押下する度にモードが変更される等の工夫がなされた懐中電灯も多い。数多くのスイッチを設けることが困難なため、１個の制御スイッチで種々の機能を実現するための工夫である。
このように携帯機器では、少ないスイッチで多くの機能を実現する様々な工夫が成されているが、本来的に小型であるため、操作性に一定の制限が存在する場合も多い。
【０００３】
この問題に関しては、これまで種々の工夫がなされており、上述した１個のスイッチの押下回数で、多様なモードを実現することもその工夫の一つである。また、ダイヤル回転型（ロータリー型）のスイッチを設けて、そのダイヤルの回転位置で機能を指定する場合もある。また、ある程度面積に余裕のあるスマートフォン等の機器では、機械的なスイッチの代わりにタッチパネルで複雑な機能を実現する場合もある。しかしながら、小型の機器の場合は、その小型の筐体上で操作をしなければならないので、使いやすさを追求する場合にも限界があった。
【０００４】
一方、携帯型の照明器具等の場合は、離れた場所や、天井、壁等に取り付けることもあり、やや離れた場所からの操作が望まれる場合も多い。この場合、大型の照明器具であれば、例えば、赤外線遠隔操作によって、照明の制御を行う仕組みが広く知られている。
【０００５】
先行技術文献
後述する本願の考案に関連して、所定のインターフェース、例えばＵＳＢとスイッチとの組み合わせに係る先行技術文献を２種説明する。
【０００６】
まず、下記特許文献１には、ＵＳＢの電源ライン（ＶＢＵＳ）にスイッチを挿入したＵＳＢ機器が開示されている。このスイッチは通常時は閉じて導通状態であり、押下すると解放され非導通状態となる。このスイッチによって、いちいちＵＳＢケーブルを抜き差ししなくても、ホストコンピュータにＵＳＢ機器の再認識を行わせることができると記載されている。
【０００７】
また、下記特許文献２には、スイッチを設けたＵＳＢハブが開示されている。このスイッチを押下すると、ホストコンピュータが所定のプログラムを実行し、どのような周辺機器が接続されているのかを音声でアナウンスする技術が開示されている。
【先行技術文献】
【特許文献】
【０００８】
【特許文献１】特開２００７−２９３５５２号公報
【特許文献２】特開２００３−２７１５３７号公報
【考案の概要】
【考案が解決しようとする課題】
【０００９】
上述したように、照明器具の場合は、やや離れた場所から照明の制御が望まれる場合が多い。したがって、大型の照明器具と同様の赤外線コントローラを、小型の照明器具に用いることも考えられる。しかし、それでは、小型の照明器具の構成が複雑なものとなってしまい、小型化に影響を及ぼす恐れも考えられる。さらに、赤外線コントローラ等の高度な手段が必要となり、コストの上昇を招く可能性もある。
【００１０】
本考案は、係る課題に鑑み、なされたものであり、その目的は、特に、懐中電灯等の携帯型照明器具において、より簡単な構成で、制御スイッチを、本体から離間させることが可能な構成を実現することである。言い換えれば、本体から離間可能な制御スイッチを簡便な方法で実現することが、本考案の目的である。
【課題を解決するための手段】
【００１１】
本願考案者は、上記課題を解決するために、下記のような構成を採用する。
（１）本考案は、上記課題を解決するために、電子機器を制御するためのスイッチにおいて、少なくとも１本の電源線と、少なくとも１本のデータ線と、を有するインターフェースのソケット部と、前記ソケット部の前記データ線の間に接続されたスイッチ部と、を含むことを特徴とする制御スイッチである。
【００１２】
（２）本考案は、上記課題を解決するために、電子機器を制御するためのスイッチにおいて、少なくとも１本の電源線と、少なくとも１本のデータ線と、を有するインターフェースのプラグ部と、前記プラグ部の前記データ線の間に接続されたスイッチ部と、を含むことを特徴とする制御スイッチである。
【００１３】
（３）また、本考案は、上記（１）又は（２）記載の制御スイッチにおいて、前記インターフェースは、ＵＳＢインターフェースであり、前記スイッチ部の一方端は、前記ＵＳＢインターフェースのＤ＋端子又はＤ−端子に接続され、前記スイッチ部の他方端は、前記ＵＳＢインターフェースのグランド線に接続されていることを特徴とする制御スイッチである。
【００１４】
（４）また、本考案は、上記（１）〜（３）のいずれか１項に記載の制御スイッチにおいて、さらに、押しボタンを備え、前記スイッチ部は、前記押しボタンが押下された場合に、導通状態となることを特徴とする制御スイッチである。
【００１５】
（５）また、本考案は、上記（１）〜（４）のいずれか１項に記載の制御スイッチと、前記制御スイッチの前記電源線に電力を供給する電力供給手段と、を備えたことを特徴とする電力供給手段付き制御スイッチである。
【考案の効果】
【００１６】
本願考案の制御スイッチによれば、所定のインターフェースの電源線及びデータ線を用いて制御スイッチを離間させたので、既存のインターフェースのプラグ、ソケットを利用する事ができ、簡易な構成で制御スイッチを携帯型機器から離間することができる。また、ケーブルもそのインターフェースで用いられるケーブルをそのまま利用する事が可能である。
【図面の簡単な説明】
【００１７】
【図１】本実施の形態に係る制御スイッチの構成を示す説明図である。
【図２】本実施の形態に係る携帯型照明器具の概念図である。
【図３】本実施の形態に係る携帯型照明器具の裏面図である。
【図４】本実施の形態に係る制御スイッチを携帯型照明器具に接続した場合の機能ブロック図である。
【考案を実施するための形態】
【００１８】
以下、本考案の好適な実施の形態を、図面に基づき説明する。
Ａ．制御スイッチ１０の構成
図１には、本実施の形態にかかる制御スイッチ１０の説明図が示されている。この制御スイッチは、利用者が押下する押下部１０ａを備えた押しボタンスイッチを構成している。
また、制御スイッチはその外部端子として、ＵＳＢインターフェースのソケット部１０ｂが備えられている。そして、内蔵するスイッチ部１０ｃの一方端は一方のデータ線Ｄ＋に接続されており、スイッチ部１０ｃの他方端は電源線の一つであるＧＮＤ端子に接続されている。このように、ＵＳＢインターフェースのデータ線及び電源線を利用して制御スイッチが構成されている。
【００１９】
このように、本実施の形態の制御スイッチ１０において特徴的なことは、スイッチ部１０ｃがＵＳＢインターフェースのデータ線Ｄ＋とＧＮＤ端子に接続するように構成されており、また、そのＵＳＢインターフェースのソケット部１０ｂが備えられていることである（図１参照）。
【００２０】
このような構成を採用することによって、汎用的なＵＳＢケーブル２０を用いて、容易に、小型の携帯機器に対する制御スイッチ１０をその携帯機器の本体から離間することが可能である（図１参照）。すなわち、図１において、ＵＳＢケーブルケーブルのプラグ部２０ａは、制御スイッチ１０のソケット部１０ｂと接続し、ＵＳＢケーブルの他方のプラグ部２０ｂは、図示されていない携帯機器の本体に接続されるのである。なお、図１において、ＵＳＢケーブル２０は、プラグ部２０ａ、２０ｂを結ぶケーブル２０ｃを備えている。
【００２１】
また、図１では、ＵＳＢケーブル２０と、制御スイッチ１０とが、離れた様子が描かれているが、図４等で後述するように、ソケット部１０ｂと、プラグ部２０ａとは勘合して接続されることは言うまでもない。
また、ここでは、ＵＳＢインターフェースを用いる例を説明したが、制御スイッチ１０が内蔵するスイッチ部１０ｃ（図１参照）が接続するべきデータ線と電源線とがそれぞれ少なくとも１本以上あればどのようなインターフェースを用いてもよい。
また、図１の本実施の形態では、制御スイッチ１０として、データ線のＤ＋端子を利用したが、Ｄ−端子を利用するように構成することも好適である。
また、図１の本実施の形態では、制御スイッチ１０として、電源線のＧＮＤ端子を利用したが、ＶＢＵＳ端子を利用するように構成することも好適である。
また、図１で述べた本実施の形態では、制御スイッチ１０としては、電源ラインであるＶＢＵＳは特に利用していないが、後述する応用・変形例で説明するように、携帯機器の充電等にＶＢＵＳ及びＧＮＤ等の電源ラインを利用することも好適である。
【００２２】
本実施の形態では、制御スイッチ１０が接続する対象である携帯機器の例として、携帯型照明器具１００を説明する。携帯型照明器具１００の概念図が図２に示されている。
携帯型照明器具１００の本体１１２は、おおよそ八角形の板状の形態であり、その表面には、１０個の照明部１１４（ａ〜ｊ）が円周状に配置されている（図２参照）。この照明部１１４は、ＬＥＤが好ましい。また、携帯型照明器具１００は、照明の電力源として図示されていない二次電池を内蔵している。
【００２３】
携帯型照明器具１００は、上記二次電池を充電するための手段として、充電端子１１６を備えている。この充電端子１１６はＵＳＢ端子であり、ＵＳＢ端子の電源ラインを充電のための電力源として利用するものである。
【００２４】
本実施の形態において特徴的なことは、この充電端子１１６（ＵＳＢ端子）が、電源として利用するだけでなく、制御スイッチ１０の接続端子としても利用していることである。
すなわち、充電端子１１６（ＵＳＢ端子）の電源ライン（ＶＢＵＳ、ＧＮＤ）は、上述したように電源として利用し、制御回路１３０は、ここから得られた電力を、二次電池１３２に供給することによって充電を行う。 
【００２５】
さらに、充電端子１１６（ＵＳＢ端子）のデータ線Ｄ＋及び電源線の一つであるＧＮＤ端子は、外部に接続されている制御スイッチ１０に接続することによって、その携帯型照明器具１００を制御する制御スイッチ１０への信号線としての役割を果たす。制御回路１３０から見た場合、この外部に接続された制御スイッチ１０は、スイッチ１２０と同等（等価）であり、制御スイッチ１０の押しボタン１０ａを押下すれば、それはスイッチ１２０が押下された場合と同様の動作を行う。これについては図４を用いて後に詳述する。
【００２６】
ここでは、制御スイッチ１０の機能を、スイッチ１２０と等価としたが、他の機能を割り当てることも可能である。制御回路１３０の動作をそのように規定すればどのような機能を割り当てることも可能である。
【００２７】
また、携帯型照明器具１００は、太陽電池を本体１１２の裏面に備えており、この太陽電池から二次電池に充電することも可能である。この様子が図３に示されている。図３に示すように、本体１１２の裏面には、太陽電池１２２が設けられており、その中央部付近にはスイッチ１２０が設けられている。このスイッチ１２０は携帯型照明器具１００の動作を制御する主たるスイッチである。しかし、スイッチ１２０は、携帯型照明器具１００の本体１１２に設けられているため、携帯型照明器具１００を壁や天井に取り付けた場合は、操作の度に、携帯型照明器具１００の位置まで利用者が移動しなければならず、作業が繁雑となる可能性もある。そこで、本実施の形態では、本体１１２と離間した位置に、スイッチ１２０と同等の機能を備えた制御スイッチ１０を接続することによって、離れた位置からでも、携帯型照明器具１００を操作可能にしたものである。
【００２８】
また、携帯型照明器具１００の左右部に、リング状部材１１８ａ、１１８ｂが設けられている。この２個のリング部材１１８ａ、１１８ｂには、図示されていないストラップが貫通し、取り付けられる。このストラップによって、先に説明したように携帯型照明器具１００を壁や天井にかけることや、設置することも可能である。
【００２９】
図４には、本携帯型照明器具１００に制御スイッチ１０を接続した場合の全体の機能ブロック図が示されている。制御スイッチ１０は、ＵＳＢケーブル２０を介して、ＵＳＢ端子である充電端子１１６に、接続している。そして、充電端子１１６は制御回路１３０に接続している。
【００３０】
制御回路１３０は、本体１１２内に内蔵されている回路であり、図１や図２では不図示である。この制御回路１３０には、二次電池１３２が接続されており、制御回路１３０は、この二次電池１３２の充電動作、放電動作を制御している。また、制御回路１３０は、利用者がスイッチ１２０を操作した場合、これを検出し、所定の動作を実行する。
【００３１】
また、制御回路１３０には、二次電池１３２向けの電力を供給する手段として、上述した充電端子１１６と、太陽電池１２２と、が接続されている。制御回路１３０はいずれかの手段を用いて、二次電池１３２への充電を所定のタイミングで行う。二次電池１３２は、例えばLi-ion電池等が好適である。
【００３２】
制御回路１３０には、またスイッチ１２０が接続されている。利用者はこのスイッチ２０を押下することによって、この携帯型照明器具１０の動作を制御することができる。
本実施の形態において特徴的なことは、制御スイッチ１０が、ＵＳＢ端子である充電端子１１６に接続されており、制御回路１３０が、この制御スイッチ１０を、スイッチ１２０と同等に取り扱っている点である。
【００３３】
このような構成によって、利用者はＵＳＢケーブルを介して、制御スイッチ１０と携帯型照明器具１００から離間させることができ、離れたところから、携帯型照明器具１００の操作を行うことが可能である。
【００３４】
特に、本実施の形態においては、ＵＳＢ端子である充電端子１１６のデータ線（Ｄ＋）と電源線（ＧＮＤ端子）とを利用して制御スイッチ１０を接続している。
その結果、充電端子１１６の電源ライン（ＶＢＵＳ）は電力源として利用されつつ、その一方、充電端子１１６のデータ線（Ｄ＋）は、外部のスイッチ（制御スイッチ１０）として利用されている。したがって、１個の端子で、２種の機能を提供しているので、より簡易な構成で制御スイッチ１０を取り付けることが可能となっているものである。
なお、図１の例では、データ線Ｄ＋のみを利用する例を示したが、データ線Ｄ＋、Ｄ−の双方を利用して、２個の制御スイッチを構成することも好適であり、いずれか一方のみを利用することも好適である。
【００３５】
ＵＳＢ端子である充電端子１１６を用いて電源を得る携帯機器は、近年非常に多く用いられている。このようにＵＳＢ端子を電源として用いている携帯機器の多くは、データ線（Ｄ＋、Ｄ−）が未使用の場合が多い。そのため、このような携帯機器に対して本実施の形態の制御スイッチ１０を利用可能に構成することは容易である。
すなわち、外部のスイッチである制御スイッチ１０を取り付けるための特別な端子を別途設ける必要がなくなるので、小型の携帯機器の「小型さ」を生かしたまま、制御スイッチ１０を取り付ける構成とすることが可能となる。
【００３６】
そして、図４に示すように、制御回路１３０には、照明部１１４が接続されている。制御回路１３０は、二次電池１３２からの電力を適宜照明部１１４に供給することによって、照明部１１４を発光させ、携帯型照明器具１００を、照明器具として動作させる。
【００３７】
なお、図４では、外部のスイッチである制御スイッチ１０をＵＳＢケーブル２０を介して取り付ける構成を示しているが、ＵＳＢケーブル２０を介さずに直接取り付けてもよい。
また、図４に示した例では、充電端子１１６に制御スイッチ１０が接続され、離間した位置から、携帯型照明器具１００の操作をすることが可能であるが、充電端子１１６を利用して充電を行う場合は、制御スイッチ１０を取り外して、別途ホストコンピュータ等の電力供給可能な装置と、充電端子１１６とを接続する。
【００３８】
Ｂ．携帯型照明器具１００の好適な動作モード
この携帯型照明器具１００は、スイッチ１２０、又は制御スイッチ１０を用いて、携帯型照明器具１０に対して種々の動作を行わせることができる。
利用者は、電源ＯＦＦ状態（スタンバイ状態とも呼ぶ）から、スイッチ１２０（又は制御スイッチ１２０）を押下する回数によって、携帯型照明器具１００を下記のような所定のモードに移行させることが可能である。
・１回押下  −  通常点灯モード
・２回押下  −  充電量表示モード
・３回押下  −  通信モード
・８回押下  −  任意点滅モード
（１ａ）通常点灯モード
通常点灯モードでは、所定の輝度で、１０個の照明部１１４が全て点灯する。照明器具、懐中電灯として使用する場合のモードである。
（１ｂ）充電量表示モード
充電量表示モードでは、二次電池の充電量を表示する。本実施の形態の携帯型照明器具１０の制御回路１３０は、二次電池の充電をコントロールしており、二次電池の充電量を検出している。そして、本充電量表示モードでは、その充電量を表示する。
（１ｃ）通信モード
この通信モードでは、制御回路１３０は、所定のパターンで、照明部１１４を点灯させる。これによって、例えば、他のメンバーに所定のメッセージを送ることができる。
（１ｄ）任意点滅モード
この任意点滅モードとは、利用者がスイッチ２０を押下している場合に点灯させ、スイッチ２０を押下していない場合には消灯させるようなモードである。したがって、任意点滅モードにおいては、任意のタイミングで点灯／消灯させることができる。その結果、任意の発光パターンで発光を行うことが可能である。
【００３９】
Ｃ．まとめ
このように、本実施の形態では、携帯型照明器具１００の操作のための外部スイッチである制御スイッチ１０を、ＵＳＢ端子である充電端子１１６に接続することができる。その結果、制御スイッチを本体１１２から離間させることができ、操作性の向上を図ることができる。
【００４０】
特に、本実施の形態において特徴的なことは、ＵＳＢ端子である充電端子１１６を介して制御スイッチ１０を取り付けたことである。この結果、ＵＳＢ端子を備えた携帯機器であれば、別途端子を新設しなくても、制御スイッチ１０を接続するように構成することは容易であり、携帯機器の小型さを損なわずに、制御スイッチ１０を利用可能とすることができる。
【００４１】
Ｄ．応用・変形例
（１）上記実施の形態では、携帯型照明器具１００の充電端子１１６を利用して制御スイッチを接続しているので、充電端子１１６を利用した充電を行う場合は、一旦、制御スイッチ１０を取り外して、それに代えて、充電端子１１６に電力供給可能な装置を接続する旨を説明した。
しかし、制御スイッチ１０にはＵＳＢインターフェースのソケット部１０ｂが備えられているので、電源線（ＶＢＵＳ、ＧＮＤ）を双方とも利用可能である。そこで、制御スイッチ１０の電源線に外部からの電力を供給しうるように別途端子（充電端子１１６のような端子）を設けても好ましい。このように構成すれば、制御スイッチ１０を接続したままで、外部からの電力供給を受けることが可能である。
このような電力供給のために別途設けた端子は、請求の範囲の電力供給手段の好適な一例に相当する。
なお、電源線としては、上記実施の形態ではＶＢＵＳ（５Ｖ）、ＧＮＤとを示したが、その他の電源線でも構わない。例えば他の電圧（１２Ｖなど）や、交流電源等でも良い。
【００４２】
（２）上記実施の形態では、制御スイッチ１０側にＵＳＢインターフェースのソケット部１０ｂが設けられている例を説明したが、プラグ側でも良い。その場合は、ＵＳＢケーブル２０側にソケット側を備えている必要がある。
【００４３】
（３）上記実施の形態では、制御スイッチ１０として、押しボタンスイッチの例を示し、利用者によって押下された場合に導通状態となるスイッチの例を説明したが、他の種類のスイッチを用いても良い。例えば、押下したときに非導通状態となるようなスイッチでも良い。また、押しボタンスイッチの他に、トグルスイッチでも良いし、スライドスイッチ等でも良い。
【００４４】
（４）また、インターフェースとしては少なくとも１本のデータ線と、少なくとも１本の電源線があればよく、ＵＳＢ以外のインターフェースを用いても良い。また、その他のインターフェースを用いる場合でも、そのインターフェースの電源ラインを、上記実施の形態と同様に電力として利用（併用）することも好適である。
【００４５】
（５）上記実施の形態では、主として小型の携帯機器の操作を行うための制御スイッチ１０について説明したが、特に、小型、携帯に限られるものではない。その他の様々な機器の操作に利用することが可能である。
【符号の説明】
【００４６】
１０  制御スイッチ
１０ａ  押しボタン
１０ｂ  ソケット部
１０ｃ  スイッチ部
２０  ＵＳＢケーブル
２０ａ、２０ｂ  プラグ部
２０ｃ  ケーブル部
１１２  本体
１１４  照明部
１１６  充電端子
１１８ａ、１１８ｂ  リング状部材
１２０  スイッチ
１２２  太陽電池
１３０  制御回路
１３２  二次電池
【図１】
0003195206.tif 000003
【図２】
0003195206.tif 000004
【図３】
0003195206.tif 000005
【図４】
0003195206.tif 000006